(57)【特許請求の範囲】
【請求項１】
ネットワークに接続された管理対象機器を管理するための管理情報を、分類された管理者の管理区分に応じて所定の情報端末に提供する管理情報提供方法であって、
前記管理対象機器から取得された、複数の項目からなる前記管理情報を第１の記憶手段に格納する機器管理手段により、前記管理情報を前記第１の記憶手段に格納し、
閲覧または設定変更が許容される前記項目を、夫々前記管理区分のいずれかに対応させて第２の記憶手段に格納するとともに、
前記情報端末を介して所定の管理者から管理情報の取得要求を受けたときには、前記管理者が属する管理区分に基づいて、前記第２の記憶手段から前記管理区分に該当する前記閲覧または設定変更が許容される前記項目を抽出し、前記第１の記憶手段から前記閲覧または設定変更が許容される前記項目に対応する管理情報を抽出する情報抽出手段により、前記管理情報を抽出し、
抽出された前記管理情報の一覧を前記情報端末に表示させる情報加工手段により、前記管理情報の表示させることを特徴とする管理情報提供方法。
【請求項２】
前記所定の管理者から前記管理情報の取得要求を受けたとき、前記情報端末にログイン画面を表示させるとともに、該ログイン画面に入力された認証情報に基づいて該情報端末の認証と該情報端末の属する管理区分の識別とを行うユーザ認証手段により、前記管理区分の識別を行い、
前記情報抽出手段により、識別された前記管理区分に基づいて前記第２の記憶手段から前記項目を抽出することを特徴とする請求項１記載の管理情報提供方法。
【請求項３】
ネットワークに接続された管理対象機器から取得された、複数の項目からなる管理情報を第１の記憶手段に格納し、所定の情報端末に所定の管理情報を提供する管理装置であって、
閲覧または設定変更が許容される前記項目を、予め設定された複数の管理区分のいずれかに対応させて格納した第２の記憶手段と、
前記情報端末を介して所定の管理者から前記管理情報の取得要求を受けたとき、前記管理者が属する管理区分に基づいて、前記第２の記憶手段から前記閲覧または設定変更が許容される前記項目を抽出し、前記第１の記憶手段から前記閲覧または設定変更が許容される前記項目に対応する管理情報を抽出する情報抽出手段と、
前記情報抽出手段により抽出された前記管理情報を加工し、前記管理情報の一覧を前記情報端末に表示させる情報加工手段と、を備えたことを特徴とする管理装置。
【請求項４】
ネットワークを介して前記情報端末から前記取得要求を受けると共に、該取得要求を受けた該情報端末に、ログイン画面を表示させるとともに、前記情報加工手段により加工された一覧情報を表示させる表示手段を備えたことを特徴とする請求項３記載の管理装置。
【請求項５】
前記第１の記憶手段は、閲覧が許可される管理項目と、前記管理対象機器に設定される設定項目それぞれに対する管理情報が格納されたものであり、
前記第２の記憶手段は、前記管理項目と共に前記設定項目が前記複数の管理区分各々に対応させて記述されたものであって、
前記情報抽出手段は、前記情報端末から前記取得要求を受けたとき、該情報端末の属する管理区分に対応させて前記第２の記憶手段に記述された管理項目及び設定項目を参照して前記第１の記憶手段から管理情報を抽出することを特徴とする請求項３記載の管理装置。
【請求項６】
前記表示手段は、前記ログイン画面に入力された認証情報を、所定の認証サーバに送信し、該認証情報が該認証サーバにより認証されたとき該認証サーバから取得した該情報端末の管理区分を前記情報抽出手段に通知することを特徴とする請求項４又は５記載の管理装置。
【請求項７】
前記管理対象機器は、複数のユーザグループに分類されたものであり、
前記第１の記憶手段は、前記複数のユーザグループそれぞれ毎に区分して前記管理対象機器から取得された前記管理情報を格納するものであって、
前記情報抽出手段は、前記複数のユーザグループそれぞれ毎に所属する情報端末が記述されたテーブルに基づいて、前記第１の記憶手段から該ユーザグループに区分された前記管理情報を抽出することを特徴とする請求項３ないし６の何れか一項に記載の管理装置。
【請求項８】
コンピュータに、ネットワークに接続された管理対象機器から取得された、複数の項目からなる管理情報を第１の記憶手段に格納させ、所定の情報端末に所定の管理情報を提供させる機能を実行させるプログラムであって、
閲覧または設定変更が許容される前記項目を、予め設定された複数の管理区分のいずれかに対応させて第２の記憶手段に格納する機能と、
前記情報端末を介して所定の管理者から前記管理情報の取得要求を受けたとき、前記管理者が属する管理区分に基づいて、前記第２の記憶手段から前記閲覧または設定変更が許容される前記項目を抽出し、前記第１の記憶手段から前記閲覧または設定変更が許容される前記項目に対応する管理情報を抽出する機能と、
抽出された前記管理情報を加工し、前記管理情報の一覧を前記情報端末に表示させる機能と、を有することを特徴とするプログラム。
【請求項９】
ネットワークを介して前記情報端末から前記取得要求を受けると共に、該取得要求を受けた該情報端末に、ログイン画面を表示させるとともに、加工された一覧情報を表示させる機能を有することを特徴とする請求項８記載のプログラム。
【発明の詳細な説明】
【技術分野】
【０００１】
本発明は、ネットワークに接続され、複数のユーザにより共有される情報機器を管理する管理者の管理区分に応じて必要な管理情報がその管理者に提供される管理情報提供方法、管理装置及びプログラムに関する。
【背景技術】
【０００２】
従来、ネットワーク機器の管理に際しては、機器管理者一人一人に応じたカスタマイズ画面を提供し、その画面上で、それぞれのニーズに合わせた環境設定が行われるのが一般的である。その場合、ユーザプロファイルごとのテンプレートが用意され、そのテンプレートを参照しながら環境設定を行うことが可能である。
【０００３】
しかしながら、この手法では、機器管理者であるユーザとテンプレートとの対応関係が１：１となるため、各ユーザは、それぞれの好みの画面を最初から設定する必要があり、管理者が増えれば増えるほどテンプレートの作成や作成されたテンプレートの管理が煩雑になるという問題がある。また、管理者の種類が多様化した場合には、管理区分に応じて管理項目と、非管理項目とが生じ、テンプレートが一層複雑化する上、複雑化したテンプレートを参照しながらのユーザによる環境設定もますます煩雑になるという問題もある。
【０００４】
例えば、サーバシステム構築の際に、サーバ管理者、システム管理者、データベース管理者などの複数の作業管理者が関係する際に、それぞれの管理者がやるべき検討項目や実施項目が明確化されていないため漏れが生じるおそれがあることや、それぞれの管理者の相互関係が明確化されていないため管理者の設定が難しいという課題を解決するため、作業段階毎に分類して、複数の作業管理者がやるべき検討項目や実施項目がテーブル化され、そのテーブルを分類毎に読み出して進捗状況を編集、表示するものがある（特許文献１参照）。
【特許文献１】特開２００１−３２５４１５号公報
【発明の開示】
【発明が解決しようとする課題】
【０００５】
しかしながら、既に構築されたシステムや、サーバ以外の各種情報機器を含むシステムに対して、開示された技術をそのまま適用することは困難である。
【０００６】
一方、機器管理者としてどのような役割を行うかが、管理区分に応じて明らかであれば、管理項目を決定することは比較的容易であり、管理区分と管理項目とを対応させて表示することは可能である。また、ユーテイリテイ管理者は、機器管理ユーテイリテイにより提供される機能が膨大であるため、各機器管理者が使用できるように準備されているこれらの機能を機器管理者個々に設定するのは手間が掛かるので、管理項目と同様に、管理区分と対応させて表示することができれば便利である。
【０００７】
本発明は、上記事情に鑑み、共通に使用される管理対象機器の管理者が、単に管理区分を指定するだけでその管理対象機器の管理情報の閲覧が可能な項目や管理対象機器に対し設定可能な項目が自動的に決定され、管理区分が指定された管理者に必要な、管理対象機器から収集された管理情報を表示する管理情報提供方法、管理装置及びそのプログラムを提供することを目的とする。
【課題を解決するための手段】
【０００８】
上記の目的を達成する本発明の管理情報提供方法は、ネットワークに接続された管理対象機器を管理するための管理情報を、分類された管理者の管理区分に応じて所定の情報端末に提供する管理情報提供方法であって、前記管理対象機器から取得された、複数の項目からなる前記管理情報を第１の記憶手段に格納する機器管理手段により、前記管理情報を前記第１の記憶手段に格納し、閲覧または設定変更が許容される前記項目を、夫々前記管理区分のいずれかに対応させて第２の記憶手段に格納するとともに、前記情報端末を介して所定の管理者から管理情報の取得要求を受けたときには、前記管理者が属する管理区分に基づいて、前記第２の記憶手段から前記管理区分に該当する前記閲覧または設定変更が許容される前記項目を抽出し、前記第１の記憶手段から前記閲覧または設定変更が許容される前記項目に対応する管理情報を抽出する情報抽出手段により、前記管理情報を抽出し、抽出された前記管理情報の一覧を前記情報端末に表示させる情報加工手段により、前記管理情報の表示させることを特徴とする。
【０００９】
このように、管理区分毎に閲覧が許容される管理項目と設定が許容される設定項目とを対応させたロールテーブルが予め作成されているので、管理区分が明らかになれば自動的に管理項目及び設定項目が決まり、何れかの管理区分に属する情報端末が管理情報を閲覧したい場合には、そのロールテーブルに基づいて所定の管理情報が直ちに抽出され、管理情報の一覧を、遠隔地から情報端末の画面で見ることができる。
【００１０】
上記の目的を達成する本発明の管理装置は、ネットワークに接続された管理対象機器から取得された、複数の項目からなる管理情報を第１の記憶手段に格納し、所定の情報端末に所定の管理情報を提供する管理装置であって、閲覧または設定変更が許容される前記項目を、予め設定された複数の管理区分のいずれかに対応させて格納した第２の記憶手段と、前記情報端末を介して所定の管理者から前記管理情報の取得要求を受けたとき、前記管理者が属する管理区分に基づいて、前記第２の記憶手段から前記閲覧または設定変更が許容される前記項目を抽出し、前記第１の記憶手段から前記閲覧または設定変更が許容される前記項目に対応する管理情報を抽出する情報抽出手段と、前記情報抽出手段により抽出された前記管理情報を加工し、前記管理情報の一覧を前記情報端末に表示させる情報加工手段と、を備えたことを特徴とする。
【００１１】
このように、管理区分毎に閲覧が許容される管理項目を対応させたロールテーブルが予め作成され、何れかの管理区分に属する情報端末から管理情報の取得要求を受けたときは、ロールテーブルに記述された管理項目を参照して直ちに管理情報を抽出し、一覧情報に加工することができる。
【００１２】
上記の目的を達成する本発明のプログラムは、コンピュータに、ネットワークに接続された管理対象機器から取得された、複数の項目からなる管理情報を第１の記憶手段に格納させ、所定の情報端末に所定の管理情報を提供させる機能を実行させるプログラムであって、閲覧または設定変更が許容される前記項目を、予め設定された複数の管理区分のいずれかに対応させて第２の記憶手段に格納する機能と、前記情報端末を介して所定の管理者から前記管理情報の取得要求を受けたとき、前記管理者が属する管理区分に基づいて、前記第２の記憶手段から前記閲覧または設定変更が許容される前記項目を抽出し、前記第１の記憶手段から前記閲覧または設定変更が許容される前記項目に対応する管理情報を抽出する機能と、抽出された前記管理情報を加工し、前記管理情報の一覧を前記情報端末に表示させる機能と、を有することを特徴とする。
【００１３】
このように、管理区分毎に閲覧が許容される管理項目と設定が許容される設定項目とを対応させて記述されたロールテーブルを作成する機能や、何れかの管理区分に属する情報端末から管理情報の取得要求をうけたときに、そのロールテーブルに基づいて所定の管理情報を抽出する機能を有するので、必要な管理情報の一覧を容易に画面表示させることができる。
【発明の効果】
【００１４】
本発明によれば、管理者の管理区分毎に閲覧が許容される管理項目と設定が許容される設定項目とを対応させたロールテーブルを有するので、共通に使用される管理対象機器の管理者は、管理区分を指定するだけで必要な管理情報の一覧を、ネットワークを介して取得することができる。
【発明を実施するための最良の形態】
【００１５】
以下に本発明の管理情報提供方法、本発明の管理装置、及び本発明のプログラムの実施形態について、それぞれの実施形態が適用される管理情報提供システムに基づいて説明する。
【００１６】
図１は、本発明の、管理情報提供方法、管理装置及びプログラムの実施形態が適用される管理情報提供システムを示す概略構成図である。
【００１７】
図１に示す本実施形態の管理情報提供システムは、本発明の管理装置の実施形態に相当する管理情報サーバ１と、パーソナルコンピュータからなるクライアント２と、管理対象機器３と、管理情報サーバに管理された情報を要求するユーザ（例えば、所定のクライアント）の認証を行い、管理区分の通知を行うユーザ認証・デイレクトリ管理部４とを備えている。管理情報サーバ１は、クライアント２、管理対象機器３、及びユーザ認証・デイレクトリ管理部４とインターネット５により接続されている。なお、ここでは、説明の都合上、管理情報サーバ１と、クライアント２と、管理対象機器３とはそれぞれ１つずつ示しているが、クライアント２及び管理対象機器３は、複数接続することができる。
【００１８】
ここで、管理対象機器３とは、ネットワーク（含むインターネット）を介して、又は直接に、多数の情報端末（含むクライアント）からアクセスされ、共用される情報機器であり、例えばプリンタや複写機やＦＡＸなどが該当する。また、本実施形態の管理装置は、管理情報サーバとして構成されているが、必ずしもサーバである必要はなく、パーソナルコンピュータであってもよい。
【００１９】
なお、本実施形態の管理情報サーバ１は、クライアント２、管理対象機器３、及びユーザ認証・デイレクトリ管理部４とインターネット５により接続されているが、必ずしもインターネット５である必要はなく、ＬＡＮやＷＡＮであっても、あるいはパブリックネットワークにより接続されたものであってもよい。また、本実施形態が適用される管理情報提供システムにおいては、インターネット５を用いるため、ユーザ認証・デイレクトリ管理部４を備えているが、ＬＡＮやＷＡＮのようなクローズドネットワークを用いる場合には、必ずしも必要としない。
【００２０】
本実施形態の管理情報サーバ１は、インターネット５を介してクライアント２にＨＴＭＬにより記述された情報を提供するアプリケーションであるＨＴＴＰｄ（Ｈｙｐｅｒ  Ｔｅｘｔ  Ｔｒａｎｓｆｅｒ  Ｐｒｏｔｏｃｏｌ  ｄａｅｍｏｎ）１１からの要求に基づいて、クライアントのＷｅｂ参照ソフトであるブラウザ上に表示させるＷｅｂページを生成するＷｅｂページ生成部１２と、Ｗｅｂページ生成部１２においてＷｅｂページを生成するのに必要なデータを機器情報記憶部１５から抽出するフロントエンド部１３と、インターネット５に接続された管理対象機器３から所定の管理項目に関する管理情報を取得し機器情報記憶部１５に格納する機器管理部１４と、を備えている。
【００２１】
Ｗｅｂページ生成部１２は、クライアント２からアクセスされたときに、クライアント２の画面に表示するログイン画面を生成するログインページ生成部２１と、ログイン画面に入力されたパスワード及びログイン名に基づいてクライアントがユーザ認証・デイレクトリ管理部４により認証されたとき、ログイン名に基づいてクライアントの管理区分を識別し、機器管理部１４により抽出された、クライアント２が属するユーザグループの管理項目及び設定項目それぞれの管理情報に基づいて、一覧を生成する機器一覧画面生成部２２とを有する。
【００２２】
フロントエンド部１３は、機器情報記憶部１５に格納された管理情報のうち閲覧が許容される管理項目を、予め設定された複数の管理区分各々に対応させて記述された管理テンプレート記憶部２５と、機器情報記憶部１５に格納された管理情報のうち設定が許容される設定項目を、予め設定された複数の管理区分各々に対応させて記述された管理操作記憶部２６と、ユーザ認証・デイレクトリ管理部４により認証された管理区分に基づいて、その管理区分に該当する管理項目を管理テンプレート記憶部２５から抽出する管理テンプレート取得部２３と、ユーザ認証・デイレクトリ管理部４により認証された管理区分に基づいて、その管理区分に該当する設定項目を管理操作記憶部２６から抽出する管理操作取得部２４とを有する。
【００２３】
なお、管理テンプレート記憶部２５及び管理操作記憶部２６は本発明のロールテーブルに相当する。
【００２４】
機器管理部１４は、インターネット５に接続された管理対象機器３から管理情報を取得する機器情報取得部２８と、取得された管理情報を格納する機器情報記憶部１５と、フロントエンド部１３で抽出されたクライアント２の管理項目及び設定項目に対応する管理情報を機器情報記憶部１５から抽出する機器一覧情報取得部２７と、を有する。
【００２５】
ユーザ認証・デイレクトリ管理部４は、ネットワークに接続された情報端末の、パスワードやログイン名、あるいは識別ＩＤやアドレスなどと管理区分が登録されたユーザデイレクトリ記憶部３１と、フロントエンド部１３を介し、Ｗｅｂページ生成部１２から送られたパスワードやログイン名がユーザデイレクトリ記憶部３１に登録されているか否かを識別すると共に、登録されているときは、そのログイン名に対応する管理区分をフロントエンド部に通知するユーザ認証部３２とを有する。
【００２６】
図２は、本実施形態が適用される管理情報提供システムの作用を示すシーケンスチャートである。
【００２７】
図２に示すように、管理情報提供システムは、クライアント２と、管理情報提供サーバにおける、ＨＴＴＰD及びＷｅｂページ生成部１２、フロントエンド部１３、及び機器管理部１４と、ユーザ認証・デイレクトリ管理部４とを備えている。
【００２８】
クライアント（管理者）２は、ＨＴＴＰD１１にアクセスすることによりＷｅｂページ生成部１２を起動すると（Ｓ１）、Ｗｅｂページ生成部１２は、ログインページを作成する（Ｓ２）。
生成されたログインページは、ＨＴＴＰD１１を介しクライアント２に送られ、ブラウザによりログイン画面が表示される（Ｓ３）。表示されたログイン画面に、クライアント２は、ユーザ名とパスワードを入力する（Ｓ４）。入力されたユーザ名とパスワードとは、ＨＴＴＰD１１、Ｗｅｂページ生成部１２を経由してフロントエンド部１３に渡される（Ｓ５）。フロントエンド部１３は、ユーザ認証・デイレクトリ管理部４にそのユーザ名とパスワードに基づく認証を求める（Ｓ６）。ユーザ認証・デイレクトリ管理部４は、ユーザ名とパスワードとが登録されているときは、そのユーザ名とパスワードとに対応するプロファイル（管理区分）をフロントエンド部１３に通知する（Ｓ７）。フロントエンド部１３は、通知を受けた管理区分及びグループ情報に基づいて、その管理区分に許容された管理項目と設定項目とを取得する（Ｓ８、９）。そして、フロントエンド部１３は、取得した管理項目と設定項目とに関する管理情報を機器管理部１４から抽出し（Ｓ１０）抽出された管理情報をＷｅｂページ生成部１２に渡す（Ｓ１１）。
Ｗｅｂページ生成部１２は、要求を受けたクライアントが属するグループの各機器に関する管理情報の一覧画面を生成し、ＨＴＴＰD１１を介してクライアント２の画面に表示する（Ｓ１２）。
【００２９】
図３は、管理テンプレート記憶部に格納された管理区分と管理項目との対応テーブルを示す図である。
【００３０】
図３に示すように、本実施形態においては、「機器管理者」「ネットワーク管理者」「資産管理者」「消耗品管理者」という４つ管理区分が設けられている。また、管理項目は、「モデル名」「ＭａｃＡｄｄｒｅｓｓ」「ＩＰＡｄｄｒｅｓｓ」「システムステータス」「プリンタステータス」など１９項目が管理対象になっている。そして、「○」印が付された管理項目は、閲覧が許容される。
【００３１】
例えば、機器管理者は、「モデル名」から「シリアル番号」までの１０項目と、「ＮＩＣバージョン」が閲覧可能であり、ネットワーク管理者は、「モデル名」から「ＩＰＡｄｄｒｅｓｓ」までの３項目と「システム連絡先」、及び「ＮＩＣバージョン」が閲覧可能である。
【００３２】
したがって、ログイン名及びパスワードによりユーザ認証部により認証され、管理区分が。例えば「ネットワーク管理者」と識別された情報端末には、その情報端末が属するグループの管理対象機器に関する、「モデル名」から「ＩＰＡｄｄｒｅｓｓ」までの３項目と「システム連絡先」、及び「ＮＩＣバージョン」の管理情報が機器情報記憶部から抽出され、機器一覧画面生成部により生成された画面が表示される。
【００３３】
図４は、管理操作記憶部に格納された管理区分と設定項目との対応テーブルを示す図である。
【００３４】
図４に示すように、本実施形態においては、「機器管理者」「ネットワーク管理者」「資産管理者」「消耗品管理者」という４つ管理区分が設けられている。また、設定項目は、「機器登録」「機器削除」「ネットワーク設定」「プロパテイ設定」「通知条件設定」など１０項目が管理対象になっている。そして、「○」印が付された設定項目は、管理者による設定及び変更が許容される。
【００３５】
例えば、機器管理者は、全設定項目についての設定及び変更が許容され、資産管理者は、「プロパテイ設定」「ファイル出力」「レポート出力」の設定及び変更が可能である。
【００３６】
したがって、ログイン名及びパスワードによりユーザ認証部により認証され、管理区分が例えば「資産管理者」と識別された情報端末には、その情報端末が属するグループの管理対象機器に関する、「プロパテイ設定」「ファイル出力」「レポート出力」の管理情報が機器情報記憶部から抽出され、機器一覧画面生成部により生成された画面が表示される。
【００３７】
ここで、設定項目に関する管理情報は、単独で表示させることもできるし、図２に示した管理項目に関する管理情報と一体的に表示させることもできる。
【００３８】
管理者は、表示された管理情報（設定値など）を参照して、設定値を変更することができる。
【００３９】
図５は、ユーザデイレクトリ記憶部に格納されたユーザ名、パスワード、及びプロファイルの対応テーブルを示す図である。
【００４０】
図５に示す対応テーブルには、ログイン名を表わすユーザ名と、パスワードと、管理区分を表わすプロファイルとを対応させて記述されている。
【００４１】
例えば、ユーザ名が「Ｕｓｅｒ１」の情報端末は、パスワードが「＊＊＊」であり、プロファイルが「機器管理者」であることがわかる。
【００４２】
したがって、ログイン画面に入力された「ログイン名」及び「パスワード」に基づいて、ユーザ認証部はその入力された「ログイン名」及び「パスワード」がユーザデイレクトリ記憶部に登録されているか否かを識別し、登録されているときは、対応するプロファイルを抽出して、フロントエンドに通知する。
【００４３】
なお、ここでは、ユーザ名と、パスワードと、プロファイルとを対応させて記述しているが、その情報端末が属するグループについても対応させて記述することができる。  
図６は、Ｗｅｂページ生成部により生成され、クライアントに表示されるログイン画面の一例である。
【００４４】
図６に示すように、クライアント（ＰＣ）が、この管理情報サーバに付されたアドレスにアクセスすると、ＰＣの画面に、本管理情報提供システムのニックネームである「Ｗｅｂ  ＳｍａｒｔＤｅｖｉｃｅＭｏｎｉｔｏｒ」と、「ログイン名」及び「パスワード」の入力用ダイアログボックス４１と、「言語」メニュー４２と、「入力」釦４３とが表示される。
【００４５】
クライアントは、「言語」メニュー４２により、入力する言語を選択し、入力用ダイアログボックス４１に予め登録されている「ログイン名」と「パスワード」とを入力する。入力された「ログイン名」と「パスワード」とを確認し、「入力」釦４３をクリックすると、ＨＴＴＰＤを介してＷｅｂページ生成部に「ログイン名」と「パスワード」とが送信される。
【００４６】
図７〜図１０は、機器一覧画面生成部により生成された機器一覧画面の一例を示す図であり、図７は、機器管理者用機器一覧画面、図８は、ネットワーク管理者用機器一覧画面、図９は、資産管理者用機器一覧画面、図１０は、消耗品管理者用機器一覧画面をそれぞれ表している。
【００４７】
図７〜図１０に示す機器一覧画面には、各管理項目に対応する管理情報が表示される。また、表示された管理情報の上部には、表示された管理情報を更新する「ＲｅｆｒｅｓｈＡｌｌ」釦４４と、画面表示する管理情報の種別をプルダウンメニューにより選択する「Ｌｉｓｔ」釦４５と、設定項目を一括設定する「Ｂａｔｃｈ  Ｃｏｎｆｉｇｕｒａｔｉｏｎ」釦４６が設けられている。
【００４８】
図７に示す機器管理者用機器一覧画面には、機器管理者に閲覧が許容された「ＩＰＡｄｄｒｅｓｓ」５１、「ＭａｃＡｄｄｒｅｓｓ」５２、「Ｍｏｄｅｌ Ｎａｍｅ」５３、「Ｐｒｉｎｔｅｒ Ｓｔａｔｕｓ」５４、「Ｓｙｓｔｅｍ  Ｅｒｒｏｒ」５５などが表示される。
【００４９】
図８に示すネットワーク管理者用機器一覧画面には、ネットワーク管理者に閲覧が許容された「ＩＰＡｄｄｒｅｓｓ」５１、「ＭａｃＡｄｄｒｅｓｓ」５２、「Ｍｏｄｅｌ  Ｎａｍｅ」５３、「ＮＩＣ  Ｍｏｄｅｌ」５６、「ＮＩＣ  Ｖｅｒｓｉｏｎ」５７などが表示される。
【００５０】
図9に示す資産管理者用機器一覧画面には、資産管理者に閲覧が許容された「ＩＰＡｄｄｒｅｓｓ」５１、「Ｍｏｄｅｌ Ｎａｍｅ」５３、「Ｓｅｒｉａｌ Nｕｍｂｅｒ」５８、「Ｐｌａｃｅ」５９などが表示される。
【００５１】
図１０に示す消耗品管理者機器一覧画面には、消耗品管理者に閲覧が許容された「ＩＰＡｄｄｒｅｓｓ」５１、「Ｍｏｄｅｌ Ｎａｍｅ」５３、「Ｔｏｔａｌ  Ｃｏｕｎｔｅｒ」６０、「Ｐｒｉｎｔｅｒ  Ｃｏｕｎｔｅｒ」６１、「ＦＡＸ  Ｃｏｕｎｔｅｒ」６２、「Ｃｏｐｉｅｒ  Ｃｏｕｎｔｅｒ」６３などが表示される。
【００５２】
図１１は、本実施形態の管理情報提供システムのフローチャートを示す図である。
【００５３】
図１１に示すように、管理情報サーバのアドレスにクライアントからアクセスされると、ログインページ生成部は、図６に示すログイン画面を表示するログインページを生成する（Ｓ１１）。クライアントがログイン名及びパスワードを入力し、「入力」釦をクリックすると、ログイン名及びパスワードが、フロントエンド部に渡される（Ｓ１２）。
【００５４】
フロントエンド部は、クライアントから受け取ったログイン名及びパスワードをユーザ認証・デイレクトリ管理部に送り、認証を受けると共に、クライアントの管理区分を取得する（Ｓ１３）。次に、取得した管理区分に基づいて、ロールテーブル（管理テンプレート記憶部及び管理操作記憶部）から管理項目と設定項目とを取得する（Ｓ１４）。
【００５５】
ユーザ認証・デイレクトリ管理部は、取得した管理項目と設定項目とを機器管理部に渡し、機器管理部は、その管理項目と設定項目と対応する管理情報を機器情報記憶部から抽出する。抽出された管理情報は、Ｗｅｂページ生成部に送られ、Ｗｅｂページ生成部は、その管理情報に基づいて、ＨＴＴＰDを介してクライアントの画面に表示する一覧を作成する（Ｓ１５）。
【図面の簡単な説明】
【００５６】
【図１】本発明の、管理情報提供方法、管理装置及びプログラムの実施形態が適用される管理情報提供システムを示す概略構成図である。
【図２】本実施形態が適用される管理情報提供システムの作用を示す図である。
【図３】管理テンプレート記憶部に格納された管理区分と管理項目との対応テーブルを示す図である。
【図４】管理操作記憶部に格納された管理区分と設定項目との対応テーブルを示す図である。
【図５】ユーザデイレクトリ記憶部に格納されたユーザ名、パスワード、及びプロファイルの対応テーブルを示す図である。
【図６】Ｗｅｂページ生成部により生成され、クライアントに表示されるログイン画面の一例である。
【図７】機器一覧画面生成部により生成された機器一覧画面（機器管理者用）の一例を示す図である。
【図８】機器一覧画面生成部により生成された機器一覧画面（ネットワーク管理者用）の一例を示す図である。
【図９】機器一覧画面生成部により生成された機器一覧画面（資産管理者用）の一例を示す図である。
【図１０】機器一覧画面生成部により生成された機器一覧画面（消耗品管理者用）の一例を示す図である。
【図１１】本実施形態の管理情報提供システムのフローチャートを示す図である。
【符号の説明】
【００５７】
１  管理情報サーバ
２  クライアント
３  管理対象機器
４  ユーザ認証・デイレクトリ管理部
５  インターネット
１１  ＨＴＴＰＤ
１２  Ｗｅｂページ生成部
１３  フロントエンド部
１４  機器管理部
１５  機器情報記憶部
２１  ログインページ生成部
２２  機器一覧画面生成部
２３  管理テンプレート取得部
２４  管理操作取得部
２５  管理テンプレート記憶部
２６  管理操作記憶部
２７  機器一覧情報取得部
２８  機器情報記憶部
３１  ユーザデイレクトリ記憶部
３２  ユーザ認証部
４１  ダイアログボックス
４２  言語メニュー
４３  入力釦
４４  Ｒｅｆｒｅｓｈ（更新）釦
４５  Ｌｉｓｔ釦
４６  Ｂａｔｃｈ  Ｃｏｎｆｉｇｕｒａｔｉｏｎ（一括設定）釦
５１  ＩＰＡｄｄｒｅｓｓ
５２  ＭａｃＡｄｄｒｅｓｓ
５３  Ｍｏｄｅｌ Ｎａｍｅ
５４  Ｐｒｉｎｔｅｒ Ｓｔａｔｕｓ
５５  Ｓｙｓｔｅｍ  Ｅｒｒｏｒ
５６  ＮＩＣ  Ｍｏｄｅｌ
５７  ＮＩＣ  Ｖｅｒｓｉｏｎ
５８  Ｓｅｒｉａｌ Nｕｍｂｅｒ
５９  Ｐｌａｃｅ
６０  Ｔｏｔａｌ  Ｃｏｕｎｔｅｒ
６１  Ｐｒｉｎｔｅｒ  Ｃｏｕｎｔｅｒ
６２  ＦＡＸ  Ｃｏｕｎｔｅｒ
６３  Ｃｏｐｉｅｒ  Ｃｏｕｎｔｅｒ
【図１】
0004681823.tif 000002
【図２】
0004681823.tif 000003
【図３】
0004681823.tif 000004
【図４】
0004681823.tif 000005
【図５】
0004681823.tif 000006
【図６】
0004681823.tif 000007
【図７】
0004681823.tif 000008
【図８】
0004681823.tif 000009
【図９】
0004681823.tif 000010
【図１０】
0004681823.tif 000011
【図１１】
0004681823.tif 000012